(57)【要約】【課題】従来の携帯電話機器では、使用者が撮影した複数の静止画像データを画像用メモリに保存した後、使用者が、再び、静止画像データが保存されたフォルダを選択し、フォルダ内の静止画像データを再生させるので、操作が手間であるという問題があった。【解決手段】本発明の携帯電話機器では、使用者が連続撮影方式で取得した複数のサムネイル画像データを表示部１７に一覧表示した後、直ぐに、その複数の原画像データを表示部１７に連続表示することができる。そのことで、本発明では、使用者が撮影した原画像データを一時的に保存した状態で、それらデータを確認できる。そして、その後、直ちに連続表示することができるので、使用者の操作が簡易であり、また、使用者は、その再生状況に応じデータの保存を判断することができる。【選択図】    図５
2004336495.tif 000002
【特許請求の範囲】
【請求項１】
入射光を電気信号に変換して画像データとして出力する撮影手段と、
前記撮影手段の連続撮影機能により取得した複数の原画像データを一時的に記憶する第１の画像データ記憶手段と、
前記原画像データを表示する表示手段と、
複数の前記原画像データを前記表示手段に連続して表示する画像データ再生手段とを具備することを特徴とする携帯電話機器。
【請求項２】
前記原画像データからサムネイル画像データを生成するサムネイル画像データ生成手段とを具備し、
前記表示手段では、前記撮影手段の連続撮影機能により複数の前記原画像データを取得した後、該原画像データの前記サムネイル画像データを一覧表示することを特徴とする請求項１に記載の携帯電話機器。
【請求項３】
前記第１の画像データ記憶手段では、前記原画像データ及び前記サムネイル画像データを一時的に記憶することを特徴とする請求項１または請求項２に記載の携帯電話機器。
【請求項４】
画像データを恒久的に記憶する第２の画像データ記憶手段とを具備し、該第２の画像データ記憶手段では、前記撮影手段の連続撮影機能を介して一度の撮影で取得した複数の前記原画像データ及び前記サムネイル画像データを同一のフォルダ内に記憶することを特徴とする請求項２または請求項３に記載の携帯電話機器。
【請求項５】
入射光を電気信号に変換して画像データとして出力する撮影手段と、
前記画像データを原画像データとして取得し、該原画像データからサムネイル画像データを生成するサムネイル画像データ生成手段と、
前記撮影手段の連続撮影機能を介して取得した複数のサムネイル画像データを一覧表示する表示手段と、
前記原画像データ及び前記サムネイル画像データを同一のフォルダ内に記憶する画像データ記憶手段と、
前記フォルダから前記原画像データを読み出し、前記表示手段に連続して表示する画像データ再生手段とを具備することを特徴とする携帯電話機器。
【請求項６】
前記画像データ再生手段では、複数の前記原画像データを一定の間隔で前記表示手段に表示させることを特徴とする請求項５に記載の携帯電話機器。
【発明の詳細な説明】
【０００１】
【発明の属する技術分野】
本発明は、携帯電話機器のカメラ機能を用い、撮影した画像データを連続表示する技術に関する。
【０００２】
【従来の技術】
近年、電子機器は小型化、高機能化が進んでいる。例えば、携帯電話機器では、画面が大型化し、大量の文字情報や画像を表示出来るようになっている。
【０００３】
すなわち、携帯電話機器において表示画面が大型化し、多くの情報を表示出来るようになると共に、カラー化により画像の表示においても充分実用となっている。そして、最近の携帯電話機器の中には、撮像レンズおよび入力光を電気信号に変換する撮像素子を備えるカメラが搭載されたいわゆるカメラ付携帯電話機器があり、このカメラ付携帯電話機器では、記憶容量、画像表示サイズ、カメラの解像度および処理能力が向上している。
【０００４】
従来の電子スチルカメラでは、例えば、単写、連写、マルチ連写および高速連写などの従来の撮影方式に、シャッターがレリーズされると毎秒３０駒の超高速で４０駒の連続撮影を行う超高速連写モードを備えている。そして、従来の電子スチルカメラでは、この超高速連写モードで撮影を行うたびごとに記録媒体上に新たにホルダーを作成する。このホルダー内には、１回の超高速連写で撮影した複数駒の画像ファイルを記憶することで、超高速連写モードで生成される画像ファイルの取り扱いを簡便にする（例えば、特許文献１参照。）。
【０００５】
また、従来の電子スチルカメラでは、例えば、その機能にアニメーション撮影モードを有し、該アニメーション撮影モードが設定されている間にシャッター操作がある毎に、画像メモリのＣＣＤデータ取り込み領域に取り込まれた画像データをプログラム動作領域に一時記憶させる。そして、アニメーション撮影モードが解除された時点で、プログラム動作領域にある複数の静止画像データから、それらを含む所定のフォーマット形式のアニメ・ファイルを作成する。このアニメ・ファイルは静止画ファイルや動画ファイルとともにフラッシュメモリ等の外部メモリに記憶される。つまり、従来の電子スチルカメラでは、シャッター操作を複数回行うだけで、アニメ・ファイルが自動的に作成できる。また、再生モードが設定された場合には、アニメ・ファイルが選択された後、それに含まれた静止画像データを順に読み出しモニターに表示される（例えば、特許文献２参照。）。
【０００６】
【特許文献１】
特開２００１−９４９２７号公報（第５−８頁、第４−８図）
【特許文献２】
特開２００３−３７８０８号公報（第７−９頁、第５−８図）
【０００７】
【発明が解決しようとする課題】
上述したように、従来の電子スチルカメラでは、連写方式の撮影方法を有し、該連写方式を用いることで、連続撮影を行うことが可能であった。また、従来の電子スチルカメラでは、アニメーション撮影モードを有し、使用者により撮影された複数の静止画像データを１つのアニメ・ファイルとして作成することが可能であった。
【０００８】
しかしながら、従来のカメラ機能を有する携帯電話機器では、連写方式の撮影方法を有し、該連写方式を用いることで、連続撮影を行うことは可能であるが、その撮影した複数の静止画像データを一括して個別のフォルダに記憶することができなかった。そのため、保存後の静止画像データは、その撮影方式に関係なく、先ず、特定の画像フォルダ内に保存されるため、使用者は、その後、個々の静止画像データ毎に、所望のフォルダへと移動させる必要があり、その作業が手間であるという問題があった。
【０００９】
また、従来のカメラ機能を有する携帯電話機器では、上述したように、撮影した複数の静止画像データを保存した後、所望のフォルダに静止画像データを移動し、再生モードとして用いるフォルダを新たに作成する必要があった。そして、使用者が、所望のフォルダを選択し、再生を操作した後、そのフォルダ内の複数の静止画像データを連続して表示部に表示していた。そのため、携帯電話機器が有するメモリ容量には限りがあり、また、複数の静止画像データを保存する必要があるので、携帯電話機器のメモリ容量を有効活用し難いという問題があった。
【００１０】
更に、従来のカメラ機能を有する携帯電話機器では、上述したように、一度、複数の静止画像データを所望のフォルダに保存する動作が必須であり、使用者が、撮影後、直ちに再生することができなかった。そのため、使用者は、上述した煩雑な操作を強いられ、再生後に、使用者のイメージと異なる場合には、そのデータを消去する作業も加わり、操作性が悪いという問題があった。また、使用者は、フォルダを選択し、再生させるまで、連続表示状況を確認できない。そのため、従来の携帯電話機器では、使用者の保存の必要性の有無に関係なく、必ず、連続撮影により取得した複数の静止画像データを保存するので、メモリ容量不足により、ベストショットを逃してしまうという問題があった。
【００１１】
本発明は、携帯電話機器のカメラ機能を利用し、更に、該カメラ機能の連写方式の撮影方法を利用し、取得した複数の静止画像データを一時的に保存した状態で、直ぐに、再生モードを用いて再生する。そのことで、本発明の携帯電話機器では、使用者が、撮影して取得した複数の静止画像データの再生後の状況を確認した後、そのデータの保存の必要性を判断することができ、限られた携帯電話機器のメモリ容量を有効活用することができる。
【００１２】
【課題を解決するための手段】
本発明は、上述した各事情に鑑みて成されたものであり、本発明の携帯電話機器では、入射光を電気信号に変換して画像データとして出力する撮影手段と、前記撮影手段の連続撮影機能により取得した複数の原画像データを一時的に記憶する第１の画像データ記憶手段と、前記原画像データを表示する表示手段と、複数の前記原画像データを前記表示手段に連続して表示する画像データ再生手段とを具備することを特徴とする。従って、本発明の携帯電話機器では、使用者が、携帯電話機器のカメラ機能を用いて取得した複数の原画像データを一時的に記憶している状態において、原画像データを表示手段に連続して再生することができる。
【００１３】
また、本発明の携帯電話機器では、前記表示手段では、前記撮影手段の連続撮影機能により複数の前記原画像データを取得した後、該原画像データの前記サムネイル画像データを一覧表示することを特徴とする。従って、本発明の携帯電話機器では、使用者が、携帯電話機器のカメラ機能を用いて取得した複数の原画像データから作成されたサムネイル画像データを生成し、サムネイル画像データを表示手段に一覧表示することができる。そして、使用者は、該サムネイル画像データの一覧表示画面を確認した後、原画像データを表示手段に連続して再生することができる。
【００１４】
また、本発明の携帯電話機器では、前記第１の画像データ記憶手段では、前記原画像データ及び前記サムネイル画像データを一時的に記憶することを特徴とする。従って、本発明の携帯電話機器では、原画像データ及びサムネイル画像データは第１の画像データ記憶手段内に一時的に記憶された状態のデータが用いられるので、該両データを恒久的に記憶する作業を省略し、表示手段に連続表示を行うことができる。
【００１５】
また、本発明の携帯電話機器では、画像データを恒久的に記憶する第２の画像データ記憶手段とを具備し、該第２の画像データ記憶手段では、前記撮影手段の連続撮影機能を介して一度の撮影で取得した複数の前記原画像データ及び前記サムネイル画像データを同一のフォルダ内に記憶することを特徴とする。従って、本発明の携帯電話機器では、第１の画像データ記憶手段に一時的に記憶される原画像データ及びサムネイル画像データの保存の必要性を判断した後、第２の画像データ記憶手段にフォルダ毎に区分して一括して記憶させることができる。
【００１６】
また、本発明の携帯電話機器では、入射光を電気信号に変換して画像データとして出力する撮影手段と、前記画像データを原画像データとして取得し、該原画像データからサムネイル画像データを生成するサムネイル画像データ生成手段と、前記撮影手段の連続撮影機能を介して取得した複数のサムネイル画像データを一覧表示する表示手段と、前記原画像データ及び前記サムネイル画像データを同一のフォルダ内に記憶する画像データ記憶手段と、前記フォルダから前記原画像データを読み出し、前記表示手段に連続して表示する画像データ再生手段とを具備することを特徴とする。従って、本発明の携帯電話機器では、使用者が、携帯電話機器のカメラ機能を用いて取得した複数の原画像データから作成されたサムネイル画像データを生成し、サムネイル画像データを表示手段に一覧表示することができる。そして、使用者は、該サムネイル画像データの一覧表示画面を確認した後、原画像データ及びサムネイル画像データを同一のフォルダに一括して記憶させることができる。また、本発明の携帯電話機器では、該フォルダを選択し、再生させることで、フォルダ内の原画像データを表示手段に連続して再生することができる。
【００１７】
また、本発明の携帯電話機器では、前記画像データ再生手段では、複数の前記原画像データを一定の間隔で前記表示手段に表示させることを特徴とする。従って、本発明の携帯電話機器では、同一のフォルダ内の原画像データを表示手段に連続して表示する際に、個々の原画像データの表示時間を設定して表示することができる。
【００１８】
【発明の実施の形態】
以下に、本発明における一実施の形態について、図１〜図８を参照にして詳細に説明する。本発明は、任意の携帯機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。
【００１９】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００２０】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１８は、撮影を行うためのシャッターキー１９、カメラモードを起動させるカメラキー１８１、電源投入するための電源キー１８２、メールモードを起動させるメールキー１８３、十字キー１８４、数字入力及び文字入力を行うテンキー１８５等から構成されている。
【００２１】
そして、表示部１７は、スピーカ２が配置されている蓋部内側に四角形状で配置されており、第２表示部４は四角い形状で蓋部外側の中央付近に配置されいる。更に、撮像部１２は、蓋部外側のヒンジ近くの中央付近に配置され、閉じた状態でも第２表示部４で被写体を確認しながら撮影ができる。また、背面キー５は第２表示部４の下方に配され、閉じた状態でシャッタキーとして使用され、使用者が自らを撮影するのに適している。一方、開いた状態で撮影する場合は、表示部１７あるいは第２表示部４で被写体を確認しながら、キー操作部１８のシャッタキー１９を押下することで撮影することができる。
【００２２】
図２に示す如く、本実施の形態の携帯電話機１は、主に、制御部１１、撮像部１２、画像処理部１３、第１メモリ１４、第２メモリ１５、表示ドライバ部１６、表示部１７、キー操作部１８、シャッターキー１９、バックライト２０、画像圧縮処理部２１、画像伸張処理部２２、アンテナ２３、無線部２４、通信制御部２５、画像切り換え制御部２６を備えている。
【００２３】
制御部１１は、携帯電話機１を構成する各部位の動作を制御し、例えば、画像処理部１３、第１メモリ１４、第２メモリ１５、表示ドライバ部１６、バックライト２０、画像圧縮処理部２１、画像伸張処理部２２、通信制御部２５、画像切換え制御部２６等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２４】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データを第１メモリ１４に送る。
【００２５】
第１メモリ１４は、信号処理部から送られてくる画像データを一時的に記憶している。このとき、画像データは、画像切換え制御部２６を介して、直接、第１メモリ１４へと送られる。そして、例えば、時間的に古い画像データは消去する、あるいは最も新しい画像データを上書きすることで一時的に画像データを記憶する。
【００２６】
制御部１１は、表示ドライバ部１６に制御信号を送信するとともに、第１メモリ１４に記憶された画像データを、表示ドライバ部１６に送る。
【００２７】
表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｓｅ）ディスプレイなどで実現され、表示ドライバ部１６を介して送られてくる画像データに基づく画像を表示する。
【００２８】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００２９】
キー操作部１８は、上述したように、数字および文字を入力するためのテンキー１８５などから構成される。
【００３０】
シャッターキー１９は、カメラ撮影時において、使用者が所望の画像を撮影したい時に押下される。そして、制御部１１は、シャッターキー１９からの指示信号に応答して、第１メモリ１４に記憶されている画像データを一時的に保存させる。その後、制御部１１は、使用者の指示に基づき、一時的に保存する画像データを画像圧縮部に送り、画像圧縮処理部２１で圧縮処理させ、第２メモリ１５に保存させる。更に、第２メモリ１５は、予め、設定されている画像データ、音楽データを保存しており、また、アンテナ２３等を介して受信した各種受信データ、例えば、画像データ、音楽データ、文字データ等及び電話帳検索モードにおける電話番号、氏名等の情報データを保存する。
【００３１】
画像圧縮処理部２１は、制御部１１の指示に基づき、通信制御部２５から送られたそれぞれの画像データを所定の圧縮方式で圧縮処理をし、その圧縮処理をした画像データを第２メモリ１５へと送る。また、制御部１１の指示に基づき、第１メモリ１４内に一時的に保存されている画像データを所定の圧縮方式で圧縮処理をし、その圧縮処理をした画像データを第２メモリ１５へと送る。一方、画像伸張処理部２２は、第２メモリ１５内に圧縮し、保存されている画像データを読み込み、伸張処理をする。そして、画像伸張処理部２２は、その伸張処理をした画像データを表示ドライバ部１６へと送る。
【００３２】
アンテナ２３は、無線電波を介して基地局と無線通信を行うときに、音声データ、文字データおよび画像データなどを送受信する。無線部２４は、所定の通信プロトコルに基づいて、受信時は、基地局からアンテナ２３を介して受信したデータを復調し、送信時は、通信制御部２５から送られてくる文字データおよび画像データなどを変調して増幅し、アンテナ２３を介して基地局に送信する。通信制御部２５は、受信データの中で無線部２４が復調した画像データを、画像切換制御部２６を介して画像圧縮部２１に送る。そして、画像圧縮部２１では、無線部２４、通信制御部２５、画像切換制御部２６を介して受信した相手先からの画像データを、圧縮処理をし、第２メモリ１５に記憶させる。また、通信制御部２５は、受信データの中で文字データ等を制御部１１の指示に基づき、第２メモリ１５へと送る。
【００３３】
画像切換え制御部２６は、画像データの取得時に、画像処理部１３及び通信制御部２５のどちらの経路から画像データが送られるかを切り換える。
【００３４】
また、本実施の形態における制御部１１内の連続撮影手段では、例えば、６連写撮影、９連写撮影、１８連写撮影の撮影方式を有している。そして、使用者が、カメラモード起動後に撮影方式を設定すると、制御部１１内の連続撮影手段では、第１メモリ１４を制御し、例えば、使用者がシャッターキー１９を１回押下すると、設定された条件下における撮影動作を繰り返し、設定された複数駒の静止画像データ（以下、原画像データという。）を一時的に第１メモリ１４へと保存させる。このとき、詳細は後述するが、取得した原画像データに対応するサムネイル画像データが生成され、同様に、第１メモリ１４へと一時的に保存される。
【００３５】
尚、本実施の形態では、１回の連続撮影で取得された複数の原画像データ及びサムネイル画像データには、第２メモリ１５に保存される際には、同一のフォルダ内に保存されること、ｎ回目（ｎは１、２、３…の整数とする。）の撮影時に取得されたデータである等のヘッダー情報が添付されている。
【００３６】
制御部１１内のパラパラ画像再生手段では、第１メモリ１４、表示ドライバ部１６を制御し、一度の連続撮影で取得し、第１メモリ１４内に一時的に保存される複数の原画像データを連続して表示部１７に表示させる。このとき、本実施の形態のパラパラ画像再生手段では、原画像データの有するヘッダー情報に基づき、１回の連続撮影で取得された複数の原画像データを撮影した順序により表示部１７に表示させる。また、本実施の形態の携帯電話機１では、例えば、９連写撮影の場合には、１．５秒間に９駒の原画像データを取得するが、ほぼ同等の時間で、表示部１７に９駒の原画像データを連続表示することができる。一方、使用者の表示時間の設定により、例えば、３秒間に１つの原画像データを表示部１７に表示させる等も可能である。
【００３７】
尚、上述した説明では、原画像データを表示部１７に連続表示する場合について説明したが、この場合に限定する必要はない。例えば、サムネイル画像データを用いて表示部１７に連続表示を行っても良いし、また、原画像データまたはサムネイル画像データを拡大処理、縮小処理した画像データを用いて表示部１７に連続表示を行っても良い。
【００３８】
制御部１１内のフォルダ作成手段では、第１メモリ１４、第２メモリ１５、画像圧縮処理部２１を制御し、第１メモリ１４に一時的に保存されている原画像データ及びサムネイル画像データを所定の圧縮方式で圧縮処理をし、第２メモリ１５に保存させる。このとき、制御部１１内のフォルダ作成手段では、原画像データ及びサムネイル画像データは、それぞれのデータの有するヘッダー情報に基づき、１回の連続撮影で取得された複数の原画像データ及びその原画像データから生成されたサムネイル画像データを識別する。そして、制御部１１内のフォルダ作成手段では、第２メモリ１５内に連続撮影毎に応じて個々にフォルダを作成し、連続撮影毎に画像データを保存させる。そのことで、詳細は後述するが、使用者は、携帯電話機１のパラパラ画像選択モードにおいて、所望のフォルダを選択すると、そのフォルダ内の複数の原画像データを連続表示することができる。
【００３９】
尚、図１（Ｂ）では第２表示部４を示しているが、図２では第２表示部４及びそれに伴う表示ドライバ部及びバックライトは省略している。
【００４０】
次に、図３は本発明の携帯電話機に入力された原画像データをサムネイル画像データに変換処理するサムネイル生成のシーケンスを説明するフローチャートであり、図４は同携帯電話機において、画像データ保存用メモリデータフィールドの詳細構成を示す模式図である。
【００４１】
本実施の形態では、携帯電話機１に設けられたカメラモードを利用して被写体を撮影することができる。そして、上述したように、本実施の形態では、ＤＣＦフォーマット形成を採用しており、撮像部１２から出力される画像データから、原画像データとサムネイル画像データとが生成され、第１メモリ１４に一時的に保存される。サムネイル画像データは原画像データを縮小して形成されるので、同一の画面に複数の画像データを同時に表示することができる。
【００４２】
図３に示す如く、例えば、作業用メモリのビットマップの原画像データの画像サイズについては縦サイズがＹ、横サイズがＸであると想定し、サムネイル画像データの画像サイズは縦サイズがｙ、横サイズがｘであると想定する。
【００４３】
先ず、原画像データの横サイズＸと、サムネイル画像データの横サイズｘとを比較し、Ｘ≧ｘであり（ステップＳ１）、且つ、Ｘ／Ｙ≧ｘ／ｙの場合には（ステップＳ２のＹＥＳ）、原画像データの縦サイズＹと横サイズＸとの比率が変わらないように、それぞれｘ／Ｘ倍に、同比率で縮小する（ステップＳ３）。そして、縮小された画像データに関し、Ｘ／Ｙ＝ｘ／ｙの場合には（ステップＳ４のＹＥＳ）、縮小画像データサイズとサムネイル画像データサイズが一致しており、その縮小画像データをそのままサムネイルサイズ領域に配置し、サムネイル画像データが生成される（ステップＳ５）。一方、縮小画像データに関し、Ｘ／Ｙ≠ｘ／ｙの場合には（ステップＳ４のＮＯ）、縮小画像データをサムネイルサイズ領域にセンタリング配置する（ステップＳ６）。その後、サムネイルサイズ領域の余白領域は、任意の背景色で塗りつぶされ、サムネイル画像データが生成される（ステップＳ１２）。
【００４４】
また、Ｘ／Ｙ＜ｘ／ｙの場合には（ステップＳ２のＮＯ）、原画像データの縦サイズＹと横サイズＸとの比率が変わらないように、それぞれｙ／Ｙ倍に、同比率で縮小する（ステップＳ７）。そして、縮小画像データをサムネイルサイズ領域にセンタリング配置する（ステップＳ８）。その後、サムネイルサイズ領域の余白領域は、任意の背景色で塗りつぶされ、サムネイル画像データが生成される（ステップＳ１２）。
【００４５】
そして、Ｘ＜ｘであり（ステップＳ１）、且つ、Ｙ≧ｙの場合には（ステップＳ９のＹＥＳ）、原画像データの縦サイズＹと横サイズＸとの比率が変わらないように、それぞれｙ／Ｙ倍に、同比率で縮小する（ステップＳ７）。そして、縮小画像データをサムネイルサイズ領域にセンタリング配置する（ステップＳ８）。その後、サムネイルサイズ領域の余白領域は、任意の背景色で塗りつぶされ、サムネイル画像データが生成される（ステップＳ１２）。
【００４６】
また、Ｙ＜ｙの場合には（ステップＳ９のＮＯ）、既に、原画像データサイズがサムネイル画像データサイズより小さく、原画像データの縮小は行わない（ステップＳ１０）。そして、原画像データをサムネイルサイズ領域にセンタリング配置する（ステップＳ１１）。その後、サムネイルサイズ領域の余白領域は、任意の背景色で塗りつぶされ、サムネイル画像データが生成される（ステップＳ１２）。
【００４７】
上述したように、本実施の形態では、原画像データを縮小し、縮小画像データをサムネイルサイズ領域にセンタリング配置することにより、サムネイル画像データが容易に生成される。尚、サムネイル画像データの作成方法としては、上述した方法に限定する必要はなく、種々の方法により生成することができる。
【００４８】
次に、図４に示す如く、本実施の形態における画像データ保存用メモリの各データフィールドには、原画像データを記憶する原画像フィールド、図３で上述したように原画像データをサムネイル画像データへ処理し、そのサムネイル画像データを記憶するサムネイル画像フィールド及び画像種別等を記憶する画像情報フィールドを有している。具体的には、携帯電話機１のカメラモードを用いて取得された原画像データ及びサムネイル画像データは、先ず、第１メモリ１４に一時的に記憶される。そして、使用者が表示部１７を介して撮影した画像を確認し、撮影した画像データを保存することを指示すると、その画像データは第２メモリ１５に、所定の圧縮方式で圧縮処理され保存される。そして、図４に示した第２メモリ１５の画像保存用メモリには、各レコード毎に、原画像データとサムネイル画像データが画像圧縮されて保存されている。
【００４９】
一方、上述したように、画像情報フィールドには、携帯電話機１のカメラモードを用いて取得された画像データが１度の連続撮影において取得されたという情報、その連続撮影においてｎ回目の撮影時に取得された情報等が保存されている。
【００５０】
つまり、図示の如く、第２メモリ１５内の画像データ保存用メモリでは、１回の連続撮影に応じてフォルダが個別に作成され、そのフォルダ内に連続撮影により取得された原画像データ、サムネイル画像データ、ヘッダー情報等が保存され、フォルダー毎に区分して管理されている。
【００５１】
次に、図５は本発明の携帯電話機のカメラモードの連続撮影方式を用いて取得した複数の原画像データを表示部に連続表示する動作を説明するためのフローチャートであり、図６は同携帯電話機において、取得した複数の原画像データから生成したサムネイル画像データを一覧表示する表示画面を説明するための図である。
【００５２】
本実施の形態では、図５に示す如く、使用者がキー操作部１８に設けられたカメラモードを起動させるカメラキー１８１を操作しカメラモードを起動させることを指示すると、制御部１１がカメラモードの起動を認識し、カメラモードを起動させる。具体的には、制御部１１はカメラモードのアプリケーションを起動させると同時に撮像部１２及び画像処理部１３に電源を供給する（ステップＳ２１）。
【００５３】
次に、使用者は、キー操作部１８を操作し、例えば、６連写撮影、９連写撮影、１８連写撮影から連続撮影方式を選択すると、制御部１１内の連続撮影手段は、設定された撮影方式を認識する（ステップＳ２２）。
【００５４】
次に、制御部１１は画像処理部１３に制御部１１内に記憶されている画像処理データである画像の撮影サイズ及び画像画質データを渡すことにより、撮像の状態が設定される（ステップＳ２３）。
【００５５】
次に、使用者が撮像部１２内の、例えば、ＣＣＤイメージセンサの撮像素子等を駆動して被写体を映すことで、撮像部１２からその被写体の画像データが取り込まれ、第１メモリ１４に入力される。そして、制御部１１が第１メモリ１４、表示ドライバ部１６を制御し、表示部１７に使用者が映した画像を表示させる。一方、使用者が表示部１７に表示された画像を確認し、その被写体を連続撮影するか否かの判断をする。そして、使用者が被写体を連続撮影する場合、使用者はシャッターキー１９を押下する（ステップＳ２４のＹＥＳ）。制御部１１内の連続撮影手段は、画像処理部１３を制御し、設定された駒の連続撮影を行った後に第１メモリ１４に送っている画像データをストップさせる（ステップＳ２５）。そして、制御部１１は、画像処理部１３を制御し、取得した原画像データからサムネイル画像データを生成させる（ステップＳ２６）。制御部１１は、第１メモリ１４に送られてきた複数の原画像データ及びその画像に対応したサムネイル画像データを一時的に保存させる（ステップＳ２７）。一方、制御部１１は、第１メモリ１４及び表示ドライバ部１６を制御し、表示部１７に連続撮影した複数のサムネイル画像データの一覧を表示させる（ステップＳ２８）。尚、使用者が、シャッターキー１９を押下しない場合には、表示部１７に使用者が映した画像を表示させた状態のままである（ステップＳ２４のＮＯ）。
【００５６】
次に、使用者は、表示部１７に表示されたサムネイル画像データの一覧表示画面を確認し、キー操作部１８を操作し、連続撮影した複数の原画像データを表示部１７に連続表示させることを指示する（ステップＳ２９のＹＥＳ）。制御部１１のパラパラ画像再生手段は、第１メモリ１４及び表示ドライバ部１６を制御し、連続撮影した複数の原画像データを撮影した順序通りに表示部１７に連続して表示させる（ステップＳ３０）。その後、制御部１１は、再び、第１メモリ１４及び表示ドライバ部１６を制御し、表示部１７に連続撮影した複数のサムネイル画像データの一覧を表示させる（ステップＳ３１）。そして、使用者は、表示部１７に表示されたサムネイル画像データの一覧表示画面を確認し、再び、キー操作部１８を操作し、連続撮影した複数の原画像データを表示部１７に連続表示させることができる（ステップＳ３２のＹＥＳ）。つまり、本実施の形態では、使用者がキー操作部１８を操作することで、原画像データが第１メモリ１４に一時的に保存された状態で、繰り返し連続画像再生を楽しむことができる。
【００５７】
次に、使用者が、再び、複数の原画像データを表示部１７に連続表示させず（ステップＳ３２のＮＯ）、連続撮影した原画像データ及びサムネイル画像データを保存する場合には、例えば、表示部１７に表示された保存アイコンに対応するキー操作部１８を押下する（ステップＳ３３のＹＥＳ）。制御部１１のフォルダ作成手段は、第１メモリ１４、第２メモリ１５及び画像圧縮処理部２１を制御し、先ず、第２メモリ１４にこれらの画像データを保存する新たなフォルダを作成する。そして、制御部１１のフォルダ作成手段は、連続撮影した原画像データ及びサムネイル画像データを所定の圧縮方式で圧縮処理をし、上記フォルダ内に一括保存させる（ステップＳ３４）。その後、ステップＳ２４へと戻り、使用者は、再び、表示部１７に表示される画像を確認し、その被写体を連続撮影するか否かの判断をする。
【００５８】
次に、使用者が、例えば、表示部１７に表示された保存アイコンに対応するキー操作部１８を押下せず（ステップＳ３３のＮＯ）、表示部１７に表示された終了アイコンに対応するキー操作部１８を押下すると（ステップＳ３５のＹＥＳ）、制御部１１は、携帯電話機１のカメラモードを終了させる。この場合、第１メモリ１４内に一時的に保存されていた原画像データ及びサムネイル画像データは消去される。一方、使用者が、終了アイコンに対応するキー操作部１８を押下しない場合には（ステップＳ３５のＮＯ）、表示部１７にはサムネイル画像データの一覧表示画面が表示された状態のままである（ステップＳ２８）。
【００５９】
図６（Ａ）及び（Ｂ）では、図５のステップＳ２８及びステップＳ３１における表示部１７に表示されるサムネイル画像の一覧表示画面を示している。図６（Ａ）に示す如く、本実施の形態では、例えば、携帯電話機１の表示部１７のほぼ全面に、例えば、３行３列の９つのサムネイル画像２７が表示される。そのため、例えば、６連写撮影の撮影方式で撮影を行った場合には、表示部１７の上方から６つのサムネイル画像２７が表示される。また、９連写撮影の撮影方式で撮影を行った場合には、表示部１７には、図示の如く、９つのサムネイル画像２７が表示される。また、１８連写撮影の撮影方式で撮影を行った場合には、表示部１７には、図示の如く、９つのサムネイル画像２７が表示され、残りの９つのサムネイル画像２７は、次頁に表示される。そして、使用者は、キー操作部１８の十字キー１８４を操作し、サムネイル画像２７が表示された両頁を見ることができる。
【００６０】
そして、本実施の形態では、表示部１７に表示された９つのサムネイル画像２７と図１（Ａ）に示す如く数字の１〜９が割り当てられたテンキー１８５とが対応している。つまり、携帯電話機１では、表示部１７の左一番上に表示されたサムネイル画像２２と数字１のテンキー１８５とが対応しており、サムネイル画像の一覧表示画面で数字１のテンキー１８５を押下すると、そのサムネイル画像２２に対応する原画像データが表示部１７に表示される。
【００６１】
尚、サムネイル一覧表示画面から原画像データを表示させる表示方法としては、上述した方法に限定する必要はない。例えば、十字キー１８４を操作し、所望のサムネイル画像を選択した後に、表示部１７に表示される決定アイコン２９に対応するキー操作部１８、例えば、本実施の形態では、シャッターキー１９を押下することで、原画像データを表示させる方法でも良い。
【００６２】
また、表示部１７の下方には、その他、再生アイコン２８及びメニューアイコン３０が表示されており、図１（Ａ）に示すキー操作部１８の、例えば、再生アイコン２８とメールキー１８３とが対応しており、メニューアイコン３０とカメラキー１８１とが対応している。そして、再生アイコン２８に対応するメールキー１８３を押下すると、図５のステップＳ３０で説明したように、表示部１７に複数の原画像データが連続表示される。一方、メニューアイコン３０に対応するカメラキー１８１を押下すると、表示部１７に図５のステップＳ３３、Ｓ３５に対応した保存アイコン、終了アイコン等が表示される。そして、それらのアイコンに対応するキー操作部１８を押下することで、携帯電話機１では、上述したそれぞれの動作が行われる。
【００６３】
一方、図６（Ｂ）に示すように、本実施の形態の携帯電話機１では、例えば、表示部１７のほぼ全面に、例えば、４行４列の１６つのサムネイル画像２７を表示することも可能である。そして、図６（Ａ）に示す表示画面と図６（Ｂ）に示す表示画面とは、使用者の設定により変更することができる。
【００６４】
尚、図６（Ｂ）に示す表示方法においても、図６（Ａ）に示す表示方法と同様に、表示部１７に表示されたサムネイル画像２７とテンキー１８５とがその配列により対応している。図６（Ｂ）では、例えば、数字の１〜０、＊、♯が割り当てられたテンキー１８５がサムネイル画像２７と対応している。そして、その他、表示部１７に表示されるアイコンの動作は図６（Ａ）で説明した場合と同様であるので、その説明を参照とし、ここでは説明を割愛する。
【００６５】
次に、図７及び図８を用いて、携帯電話機１のカメラモードを用いて取得した複数の原画像データを同一フォルダに保存した後、フォルダを選択し、フォルダ内の複数の原画像データを表示部に連続表示させる実施の形態について説明する。図７は、本発明の携帯電話機のカメラモードの連続撮影方式を用いて取得した複数の原画像データ及びサムネイル画像データを同一フォルダ内に保存する動作を説明するフローチャートであり、図８は同携帯電話機器において、同一フォルダ内に保存された複数の原画像データを表示部に連続表示する動作を説明するためのフローチャートである。
【００６６】
本実施の形態では、図７に示す如く、使用者がキー操作部１８に設けられたカメラモードを起動させるカメラキー１８１を操作しカメラモードを起動させることを指示すると、制御部１１がカメラモードの起動を認識し、カメラモードを起動させる。具体的には、制御部１１はカメラモードのアプリケーションを起動させると同時に撮像部１２及び画像処理部１３に電源を供給する（ステップＳ４１）。
【００６７】
次に、使用者は、キー操作部１８を操作し、例えば、６連写撮影、９連写撮影、１８連写撮影から連続撮影方式を選択すると、制御部１１内の連続撮影手段は、設定された撮影方式を認識する（ステップＳ４２）。
【００６８】
次に、制御部１１は画像処理部１３に制御部１１内に記憶されている画像処理データである画像の撮影サイズ及び画像画質データを渡すことにより、撮像の状態が設定される（ステップＳ４３）。
【００６９】
次に、使用者が撮像部１２内の、例えば、ＣＣＤイメージセンサの撮像素子等を駆動して被写体を映すことで、撮像部１２からその被写体の画像データが取り込まれ、第１メモリ１４に入力される。そして、制御部１１が第１メモリ１４、表示ドライバ部１６を制御し、表示部１７に使用者が映した画像を表示させる。一方、使用者が表示部１７に表示された画像を確認し、その被写体を連続撮影するか否かの判断をする。そして、使用者が被写体を連続撮影する場合、使用者はシャッターキー１９を押下する（ステップＳ４４のＹＥＳ）。制御部１１内の連続撮影手段は、画像処理部１３を制御し、設定された駒の連続撮影を行った後に第１メモリ１４に送っている画像データをストップさせる（ステップＳ４５）。そして、制御部１１は、画像処理部１３を制御し、取得した原画像データからサムネイル画像データを生成させる（ステップＳ４６）。制御部１１は、第１メモリ１４に送られてきた複数の原画像データ及びその画像に対応したサムネイル画像データを一時的に保存させる（ステップＳ４７）。一方、制御部１１は、第１メモリ１４及び表示ドライバ部１６を制御し、表示部１７に連続撮影した複数のサムネイル画像データの一覧を表示させる（ステップＳ４８）。尚、使用者が、シャッターキー１９を押下しない場合には、表示部１７に使用者が映した画像を表示させた状態のままである（ステップＳ４４のＮＯ）。
【００７０】
次に、使用者は、表示部１７に表示されたサムネイル画像データの一覧表示画面を確認し、連続撮影した原画像データ及びサムネイル画像データを保存する場合には、例えば、表示部１７に表示された保存アイコンに対応するキー操作部１８を押下する（ステップＳ４９のＹＥＳ）。制御部１１のフォルダ作成手段は、第１メモリ１４、第２メモリ１５及び画像圧縮処理部２１を制御し、先ず、第２メモリ１４にこれらの画像データを保存する新たなフォルダを作成する。そして、制御部１１のフォルダ作成手段は、連続撮影した原画像データ及びサムネイル画像データを所定の圧縮方式で圧縮処理をし、上記フォルダ内に一括保存させる（ステップＳ５０）。その後、ステップＳ４４へと戻り、使用者は、再び、表示部１７に表示される画像を確認し、その被写体を連続撮影するか否かの判断をする。
【００７１】
次に、使用者が、例えば、表示部１７に表示された保存アイコンに対応するキー操作部１８を押下せず（ステップＳ４９のＮＯ）、表示部１７に表示された終了アイコンに対応するキー操作部１８を押下すると（ステップＳ５１のＹＥＳ）、制御部１１は、携帯電話機１のカメラモードを終了させる。この場合、第１メモリ１４内に一時的に保存されていた原画像データ及びサムネイル画像データは消去される。一方、使用者が、終了アイコンに対応するキー操作部１８を押下しない場合には（ステップＳ５１のＮＯ）、表示部１７にはサムネイル画像データの一覧表示画面が表示された状態のままである（ステップＳ４８）。
【００７２】
次に、実施の形態では、図８に示す如く、使用者が、携帯電話機１のパラパラ画像選択モードを用いて所望のフォルダを選択し、表示部にフォルダ内の複数の原画像データを連続表示させる場合には、使用者はキー操作部１８を操作しパラパラ画像選択モードの起動を指示すると（ステップＳ６１）、制御部１１は表示ドライバ部１６を制御し、表示部１７に画像フォルダリストの一覧表示画面を表示させる。そして、使用者が表示画面に従い、キー操作部１８の、例えば、十字キー１８４を操作し、画面上で所望の画像フォルダを選択し、決定キーを押下すると（ステップＳ６２）、制御部１１は、第２メモリ１５、表示ドライバ部１６及び画像伸張処理部２２を制御し、表示部１７にフォルダ内のサムネイル画像データの一覧表示画面を表示させる（ステップＳ６３）。尚、本実施の形態では、この場合には、第２メモリ１５内に格納されているサムネイル画像データが、画像伸張処理部２２で伸張処理され、表示部１７に表示される。
【００７３】
次に、使用者は、表示部１７に表示されたサムネイル画像データの一覧表示画面を確認し、キー操作部１８を操作し、連続撮影した複数の原画像データを表示部１７に連続表示させることを指示する（ステップＳ６４のＹＥＳ）。制御部１１のパラパラ画像再生手段は、第２メモリ１５、表示ドライバ部１６及び画像伸張処理部２２を制御し、連続撮影した複数の原画像データを撮影した順序通りに表示部１７に連続して表示させる（ステップＳ６５）。その後、制御部１１は、再び、表示ドライバ部１６を制御し、表示部１７に連続撮影した複数のサムネイル画像データの一覧を表示させる（ステップＳ６６）。そして、使用者は、表示部１７に表示されたサムネイル画像データの一覧表示画面を確認し、再び、キー操作部１８を操作し、連続撮影した複数の原画像データを表示部１７に連続表示させることができる（ステップＳ６７のＹＥＳ）。つまり、本実施の形態では、使用者が選択したフォルダ内の原画像データを表示部１７に繰り返し、連続表示させることができる。尚、本実施の形態では、上述したように、第２メモリ１５内の原画像データを画像伸張処理部２２を介して表示部１７に表示させる。そして、その表示手段としては、使用者の設定により、種々の表示時間を設定することができる。
【００７４】
次に、使用者が、複数の原画像データを表示部１７に連続表示させず（ステップＳ６７のＮＯ）、その他のフォルダ内を選択し、そのフォルダ内の原画像データを連続再生させる場合には、例えば、表示部１７に表示された戻るアイコンに対応するキー操作部１８を押下する（ステップＳ６８のＹＥＳ）。ステップＳ６２へと戻り、制御部１１は、表示ドライバ部１６を制御し、表示部１７に画像フォルダリストの一覧表示画面を表示させる。
【００７５】
次に、使用者が、例えば、表示部１７に表示された戻るアイコンに対応するキー操作部１８を押下せず（ステップＳ６８のＮＯ）、表示部１７に表示された終了アイコンに対応するキー操作部１８を押下すると（ステップＳ６９のＹＥＳ）、制御部１１は、携帯電話機１のパラパラ画像選択モードを終了させる。一方、使用者が、終了アイコンに対応するキー操作部１８を押下しない場合には（ステップＳ６９のＮＯ）、表示部１７にはサムネイル画像データの一覧表示画面が表示された状態のままである（ステップＳ６８）。
【００７６】
尚、上述したように、本実施の形態では、連続撮影で取得した複数の原画像データを用いて表示部に連続再生させる場合について説明したが、この場合に限定する必要はない。例えば、原画像データに対応して生成されるサムネイル画像データを用いて、表示部に連続表示することもできる。その他、本発明の要旨を逸脱しない範囲で、種々の変更が可能である。
【００７７】
【発明の効果】
上述したように、第１に、本発明の携帯電話機器では、該携帯電話機器が備えるカメラ機能の連続撮影方式により取得した複数の原画像データ及びそのサムネイル画像データをメモリ内に一時的に保存する。そして、該原画像データを取得後、直ちに、一時的に保存されている複数の原画像データを表示部に連続再生することができる。そのことで、本発明では、メモリ内に一時的に保存されている原画像データを用いることができるので、使用者の画像連続表示の操作を簡易にすることを実現できる。また、本発明では、取得した複数の原画像データ及びサムネイル画像データの保存は、再生表示を確認後に判断できるので、所望の画像データのみを保存でき、メモリ容量の有効活用を実現できる。
【００７８】
第２に、本発明の携帯電話機器では、携帯電話機器が備えるカメラ機能の連続撮影方式により取得した複数の原画像データ及びそのサムネイル画像データを、同一フォルダ内に保存することができる。そのことで、本発明では、使用者が、画像データを保存した後に、所望のフォルダ毎に画像データを移動する手間を省略でき、使用者の操作性の向上を実現できる。また、本発明では、所望のフォルダを選択することで、フォルダ内の複数の原画像データの連続表示を容易に実現することができる。
【００７９】
第３に、本発明の携帯電話機器では、該携帯電話機器が備えるカメラ機能の連続撮影方式により撮影後、その撮影により取得したサムネイル画像データの一覧表示画面を表示することができる。そのことで、本発明では、使用者は、取得した画像データの個々の画像も、撮影後、直ちに確認することができるので、使用者の利便性を向上させることができる。
【図面の簡単な説明】
【図１】本発明の実施の形態である携帯電話機器の（Ａ）開いた状態での内側（キー面）から見た概観図、（Ｂ）閉じた状態での外側（背面）から見た概観図である。
【図２】同携帯電話機器の電気的構成を説明する概略機能ブロック図である。
【図３】同携帯電話機のサムネイル生成のシーケンスを説明するフローチャートである。
【図４】同携帯電話機の画像データ保存用メモリ内の詳細構成を説明する模式図である。
【図５】同携帯電話機器のカメラモードの連続撮影方式を用いて取得した複数の原画像データを表示部に連続表示する動作を説明するためのフローチャートである。
【図６】同携帯電話機器の取得した複数の原画像データから生成したサムネイル画像データを一覧表示する表示画面を説明するための図である。
【図７】同携帯電話機器のカメラモードの連続撮影方式を用いて取得した複数の原画像データ及びサムネイル画像データを同一フォルダ内に保存する動作を説明するフローチャートである。
【図８】同携帯電話機器の同一フォルダ内に保存された複数の原画像データを表示部に連続表示する動作を説明するためのフローチャートである。
【符号の説明】
１          カメラ付携帯電話機
２          スピーカー
３          マイク
４          第２表示部
５          背面キー
１１          制御部
１２          撮像部
１３          画像処理部
１４          第１メモリ
１５          第２メモリ
１６          表示ドライバ部
１７          表示部
１８          キー操作部
１９          シャッターキー
２０          バックライト
２１          画像圧縮処理部
２２          画像伸張処理部
２３          アンテナ
２４          無線部
２５          通信制御部
２６          画像切換え制御部
【図１】
2004336495.tif 000003
【図２】
2004336495.tif 000004
【図３】
2004336495.tif 000005
【図４】
2004336495.tif 000006
【図５】
2004336495.tif 000007
【図６】
2004336495.tif 000008
【図７】
2004336495.tif 000009
【図８】
2004336495.tif 000010